(57)【要約】【課題】開き扉の吊り込み時にピボット軸を扉枠側の支持具の軸受穴から外れることなく確実に、且つ簡単に枢着し、しかも、部品点数が少ない構造の簡略な軸釣装置の上吊り金具を提供する。【解決手段】上吊り金具Ｈ２は、開き扉の吊り込み時、ダンパ３５がピボット軸５５ごとダンパケース４０のガイド穴４４の深さ方向上下に押し下げ自在の状態で、頭部３１ａの押下操作具３２がガイド穴４４から突出した高さ位置にあり、それ故、押下釦部３２ｂに指を掛けてダンパごとピボット軸の先端軸部５５ａを付勢ばね４５に抗して押し下げ、いったんガイド穴に引っ込めてから、押下釦部から指を外すと、付勢ばねの付勢力でダンパごとピボット軸が突出して支持具２０の軸受穴２５に嵌合する構成になっている。【選択図】          図１
2011214245.tif 000002
【特許請求の範囲】
【請求項１】
上下のヒンジ部に備えたピボット軸を支点として扉枠に開き扉を回動可能に軸釣する軸釣装置において、前記上ヒンジ部を構成する上吊り金具であって、
前記開き扉側に組み付けて前記ピボット軸を枢着する枢着具と、該枢着具と対応する前記扉枠側に固定し、前記開き扉の吊り込み時に前記ピボット軸を嵌合する軸受穴を有する支持具とからなり、
前記枢着具は、
前記開き扉が閉方向に回動すると制動力が働いて該開き扉を減速する制動手段で、頭部から先端軸部を一定長さ突出させた状態で前記ピボット軸を挿設したダンパと、該ダンパをガイド穴に深さ方向上下に可動に嵌め込んで前記開き扉の上端部に固設するダンパケースと、該ダンパケースのガイド穴の深さ方向上向きに前記ダンパを常時付勢する付勢ばねを備え、
前記ダンパは、前記頭部が前記ガイド穴の上部開口から突出する高さ位置に止めて保持する一方、前記ピボット軸ごと前記付勢ばねに抗して押し下げ自在に前記ダンパケースで把持してなることを特徴とする、軸釣装置の上吊り金具。
【請求項２】
前記ダンパは、前記ピボット軸を挿設するダンパ本体と、該ダンパ本体の頭部に一体に押し下げ自在に設ける押下操作具とからなり、該押下操作具に前記ダンパ本体から離れる外向きに押下釦部を凸設してなることを特徴とする、請求項１に記載の軸釣装置の上吊り金具。
【請求項３】
前記枢着具は、前記ダンパの頭部が前記ガイド穴の上部開口から突出する高さ位置と引っ込む高さ位置とに、該ダンパが前記ガイド穴の深さ方向上下に移動する可動範囲を規制するストッパ手段を備えてなることを特徴とする、請求項１又は２に記載の軸釣装置の上吊り金具。
【請求項４】
前記枢着具は、前記ダンパを前記ダンパケースに固定して前記ピボット軸の先端軸部と前記支持具の軸受穴との嵌め合いをロックする外れ止め手段を備えてなることを特徴とする、請求項１、２又は３に記載の軸釣装置の上吊り金具。
【発明の詳細な説明】
【技術分野】
【０００１】
本発明は、上下ヒンジ部に備えたピボット軸を支点として開き扉を扉枠に回動可能に軸釣する軸釣装置において、特に、上ヒンジ部を構成する上吊り金具に関する。
【背景技術】
【０００２】
従来、開き扉用のヒンジ装置の中には、目立たずに装着され見栄えが良いことから、上下のヒンジ部に備えたピボット軸で開き扉を枢支して回動可能に扉枠の上下隅部に吊り込む所謂ピボットヒンジ型の軸釣装置が多くなっている（特許文献１参照）。
【０００３】
しかし、この種の軸釣装置には、扉枠の天井側上枠部と、開き扉との間に隙間が少ない場合、開き扉を扉枠に吊り込むときに、上向きに突出する上ヒンジ部のピボット軸が障害になって、開き扉を吊り込み難く、隙間の狭さによっては、吊り込み不能な場合があるなどの問題があった。
【０００４】
そこで、出願人は、そのような問題を解決すべく、上ヒンジ部を構成する上吊り金具を改良したピボットヒンジ型の軸釣装置を提案している（特許文献２参照）。この従来の軸釣装置の上吊り金具は、図１０および図１１に示すように、開き扉ｄの上端部に埋設したダンパ１にピボット軸２を嵌挿し、ピボット軸２の先端軸部２ａを開き扉ｄから突出させて保持する枢着具ａと、扉枠ｆの縦枠部３ａの上側に固着すると横向きに突出するアーム部４ａを有したＬ型アングル材の支持具４と、中心にピボット軸２の先端軸部２ａが回転不能に嵌合する位置決め穴５ａを有したギヤ状筒型の調整カム５と、一端側に調整カム５が厚さ方向上下に摺動可能に貫挿する調整穴６ａを調整カム５の外形状に合わせた穴形状に穿設し、他端側に支持具４のアーム部４ａと係合する係合部６ｂを有したジョイント６を備えている。そして、吊り込み時、ピボット軸２の先端軸部２ａを調整カム５の位置決め穴５ａに嵌合し、枢着具側のジョイント６の係合部６ｂに、扉枠側の支持具４のアーム部４ａを、扉枠ｆの上枠部に沿って横向きに係合し、開き扉ｄと上枠部との間に殆んど隙間がなくても、開き扉ｄを扉枠ｆに軸釣できるようになっている。また、調整カム５をジョイント６の調整穴６ａに厚さ方向上下に摺動可能に嵌合しているため、例えば建付け高さ位置を調整しながら開き扉ｄを扉枠ｆに吊り込むときでも、建付け位置の微調整高さに応じて、調整カム５が扉枠側に固定のジョイント６に対し、調整穴６ａを通して上下に摺動することにより、開き扉ｄの建付け高さ位置の微調整動作に追従できるようになっている。
【先行技術文献】
【特許文献】
【０００５】
【特許文献１】実開昭６１−１３７７６６号公報
【特許文献２】特開２００８−１２７７４０号公報
【発明の概要】
【発明が解決しようとする課題】
【０００６】
ところが、従来の軸釣装置の上吊り金具は、扉枠ｆに対して吊り込む開き扉ｄの高さに誤差があることが多く、調整カム５とジョイント６の嵌め合い高さ程度では、開き扉ｄが衝撃で振動したりすると、調整カム５とジョイント６とがズレ動いて嵌め合いが外れてしまい、それが原因でピボット軸２が支持具４から外れ、その結果、開き扉ｄが扉枠ｆから落ちてしまうという課題があった。また、調整カム５やジョイント６の分だけ組立部品点数が多いため、それだけ軸釣構造が複雑になると共に吊り込み作業が面倒になるという課題もあった。
【０００７】
そこで、本発明の目的は、開き扉の吊り込み時にピボット軸を扉枠側の支持具の軸受穴から外れることなく確実に、且つ簡単に枢着し、しかも、部品点数が少なく構造の簡略な軸釣装置の上吊り金具を提供することにある。
【課題を解決するための手段】
【０００８】
そこで、請求項１に記載の発明の軸釣装置の上吊り金具は、たとえば以下に示す図示実施の形態のとおり、上下のヒンジ部に備えたピボット軸５５を支点として扉枠Ｆに開き扉Ｄを回動可能に軸釣する軸釣装置Ａにおいて、前記上ヒンジ部を構成する上吊り金具Ｈ２であって、前記開き扉側に組み付けて前記ピボット軸５５を枢着する枢着具３０と、該枢着具３０と対応する前記扉枠側に固定し、前記開き扉Ｄの吊り込み時に前記ピボット軸５５を嵌合する軸受穴２５を有する支持具２０とからなり、前記枢着具３０は、前記開き扉Ｄが閉方向に回動すると制動力が働いて該開き扉Ｄを減速する制動手段で、頭部３１ａから先端軸部５５ａを一定長さ突出させた状態で前記ピボット軸５５を挿設したダンパ３５と、該ダンパ３５をガイド穴４４に深さ方向Ｘ上下に可動に嵌め込んで前記開き扉Ｄの上端部に固設するダンパケース４０と、該ダンパケース４０のガイド穴４４の深さ方向Ｘ上向きに前記ダンパ３５を常時付勢する付勢ばね４５を備え、前記ダンパ３５は、前記頭部３１ａが前記ガイド穴４４の上部開口４４ａから突出する高さ位置に止めて保持する一方、前記ピボット軸５５ごと前記付勢ばね４５に抗して押し下げ自在に前記ダンパケース４０で把持してなることを特徴とする。
【０００９】
請求項２に記載の発明は、請求項１に記載の軸釣装置の上吊り金具において、たとえば以下に示す図示実施の形態のとおり、前記ダンパ３５は、前記ピボット軸５５を挿設するダンパ本体３１と、該ダンパ本体３１の頭部３１ａに一体に押し下げ自在に設ける押下操作具３２とからなり、該押下操作具３２に前記ダンパ本体３１から離れる外向きに押下釦部３２ｂを凸設してなることを特徴とする。
【００１０】
請求項３に記載の発明は、請求項１又は２に記載の軸釣装置の上吊り金具において、たとえば以下に示す図示実施の形態のとおり、前記枢着具３０は、前記ダンパ３５の頭部３１ａが前記ガイド穴４４の上部開口４４ａから突出する高さ位置と引っ込む高さ位置とに、該ダンパ３５が前記ガイド穴４４の深さ方向Ｘ上下に移動する可動範囲を規制するストッパ手段５０を備えてなることを特徴とする。
【００１１】
請求項４に記載の発明は、請求項３に記載の軸釣装置の上吊り金具において、たとえば以下に示す図示実施の形態のとおり、前記枢着具３０は、前記ダンパ３５を前記ダンパケース４０に固定して前記ピボット軸５５の先端軸部５５ａと前記支持具２０の軸受穴２５との嵌め合いをロックする外れ止め手段６０を備えてなることを特徴とする。
【発明の効果】
【００１２】
請求項１に記載の発明によれば、上吊り金具で開き扉を扉枠の上側に軸釣するとき、ピボット軸がダンパごとダンパケースのガイド穴の深さ方向上下に押し下げ自在の状態で、ダンパは、頭部がガイド穴から突出した高さ位置にあるので、ピボット軸をダンパごと押し下げて先端軸部をガイド穴内にいったん引っ込めてから、ダンパに掛けた指を外すと、付勢ばねの付勢力でダンパごとピボット軸が自動的に突出して先端軸部が支持具の軸受穴に嵌合する構成であるため、開き扉の建て付け箇所が開き扉と上枠部との間に殆んど隙間のない場合であっても、何ら障害となるものがなく、手間なく簡単にピボット軸を扉枠側の支持具の軸受穴に枢着して開き扉を扉枠の上側に軸釣することができる。
【００１３】
しかも、請求項１に記載の発明によれば、ピボット軸はダンパごとダンパケースのガイド穴の深さ方向上向きに常にばね付勢し、それ故に、先端軸部が支持具の軸受穴に嵌合して開き扉を軸釣した後も、そのまま付勢ばねで上向きに付勢してダンパを頭部がガイド穴から突出した高さ位置に押し付けて保持するため、たとえ扉枠に対して開き扉を吊り込む高さに誤差があったり、開き扉が衝撃で振動したりすることがあっても、ピボット軸が支持具の軸受穴からズレ動いて嵌め合いが外れるようなことがなく、ピボット軸を支持具の軸受穴に確実に枢着することができる。
【００１４】
加えて、請求項１に記載の発明によれば、ピボット軸は、支持具の軸受穴に、従来のように調整カムやジョイントを介さず直接に嵌め込んで枢着する構成であるため、その分の組立部品点数が削減され、軸釣構造も簡略化されると共に、吊り込み作業の手間も軽減することができる。
【００１５】
請求項２に記載の発明によれば、ダンパは、押下操作具の押下釦部に指を掛けて押し込むだけでも、全体がピボット軸と一体に押し下げられ、それだけダンパの押し下げ作業を簡単に且つ確実に行うことができる。
【００１６】
請求項３に記載の発明によれば、ダンパの頭部がガイド穴の上部開口から突出する高さ位置と引っ込む高さ位置とに、ダンパがガイド穴の深さ方向上下に移動する可動範囲をストッパ手段で規制することにより、ダンパを所定の可動範囲内で確実に位置決め保持することができる。
【００１７】
請求項４に記載の発明によれば、開き扉の吊り込み時、ピボット軸の先端軸部を付勢ばねで突出させて支持具の軸受穴に嵌合した後に、外れ止め手段を用いてダンパをダンパケースに固定し、ピボット軸の先端軸部と支持具の軸受穴との嵌め合いをロックし、これにより、付勢ばねのばね付勢力を抑え込んで、ピボット軸の先端軸部が支持具の軸受穴から外れるのをより確実に防止することができる。
【図面の簡単な説明】
【００１８】
【図１】本発明に係る軸釣装置の上吊り金具で開き扉を扉枠に吊り込む状態を示す部分拡大斜視図である。
【図２】軸釣装置の上吊り金具を開き扉の吊り込み状態で示す縦断面図である。
【図３】上吊り金具を示す分解斜視図である。
【図４】枢着具側のダンパを示す組立斜視図である。
【図５】（Ａ）ダンパの突出状態で示す上吊り金具の組立斜視図、（Ｂ）ダンパの引っ込み状態で示す上吊り金具の組立斜視図である。
【図６】軸釣装置で開き扉を扉枠に吊り込む途中を示す扉周りの正面図である。
【図７】軸釣装置で開き扉を扉枠に吊り込む途中を示す扉周りの斜視図である。
【図８】軸釣装置で開き扉を扉枠に吊り込んだ状態を示す扉周りの正面図である。
【図９】軸釣装置で開き扉を扉枠に吊り込んだ状態を示す扉周りの斜視図である。
【図１０】従来の軸釣装置の上吊り金具を示す分解斜視図である。
【図１１】従来の軸釣装置の上吊り金具を組立状態で示す縦断面図である。
【発明を実施するための形態】
【００１９】
以下、図面を参照しつつ、本発明の実施の最良形態について説明する。
【００２０】
図８は、本発明に係る軸釣装置で開き扉を扉枠に吊り込んだ状態を示す扉周りの正面図、図９は斜視図である。図中符号Ａが一対の上下ヒンジ部を備えたピボットヒンジ型の軸釣装置、Ｄは開き扉、Ｆは開き扉Ｄを支持する扉枠である。図示軸釣装置Ａは、下ヒンジ部としての下吊り金具Ｈ１と、上ヒンジ部としての本発明に係る上吊り金具Ｈ２とからなり、開き扉Ｄと扉枠Ｆとの下部側を下吊り金具Ｈ１で、上部側を上吊り金具Ｈ２でそれぞれ軸釣して開き扉Ｄを扉枠Ｆに対し所定の建付け位置で開閉可能に吊り込む構成になっている。
【００２１】
軸釣装置Ａの下吊り金具Ｈ１は、扉枠Ｆの縦枠部１０ａと下枠部１０ｂとの隅角部にねじ止めする支持具１１と、開き扉Ｄの下端の一側角縁寄りにねじ止めする枢着具１２とからなる。支持具１１は、Ｌ型に屈曲して横板部１１ａと縦板部１１ｂからなるアングル材で、横板部１１ａには回り止め形状の軸受穴１３を設けてなる（図７参照）。一方、枢着具１２は、開き扉Ｄの下端に埋設した軸筒内に、先端軸部１５ａが軸受穴１３の穴形状と同じ回り止め形状のピボット軸１５を挿設し、先端軸部１５ａを開き扉Ｄの下端面から突出させて保持してなる。下吊り金具Ｈ１は、枢着具側のピボット軸１５を扉枠側に固定の支持具１１の軸受穴１３に嵌着して組み立てると、ピボット軸１５を支点として開き扉Ｄを回動可能に枢支する軸釣構造になっている。なお、図示しないが、枢着具１２は、軸筒内にねじりばねを組み込み、ねじりばねの一端をピボット軸１５に掛け止める一方、他端を軸筒の一部に掛け止めたばねヒンジ構造を内装し、これにより、開時、開き扉Ｄの開操作を途中で止めると、ねじりばねのばね復帰力で開き扉Ｄを閉方向へ自動的に回動して所定の復帰位置へ復帰させる自閉手段を備えるとする。
【００２２】
さて、本発明の上吊り金具Ｈ２は、図１および図２に示すように、扉枠Ｆの側に組み付ける支持具２０と、開き扉Ｄの側に組み付ける枢着具３０からなる。
【００２３】
支持具２０は、Ｌ型に屈曲して複数のねじ穴をあけた縦板部２０ａと横板部２０ｂからなるアングル材で、横板部２０ｂに回り止め形状の軸受穴２５を設けてなる。軸受穴２５は、横板部２０ｂの長手方向に沿って長い長穴からなる。支持具２０は、縦板部２０ａを扉枠Ｆの縦枠部１０ａの木口上端にねじ止めし、横板部２０ｂを扉枠Ｆの天井側上枠部１０ｃに沿って水平な横向きに突設する。
【００２４】
枢着具３０は、図３に示すように、制動手段のダンパ３５と、ダンパ３５を把持するダンパケース４０と、ダンパ３５を付勢する圧縮コイルばねの付勢ばね４５と、ダンパ３５のストッパ手段５０と、ピボット軸５５の外れ止め手段６０を備えた構成になっている。
【００２５】
ダンパ３５は、ピボット軸５５を挿設するダンパ本体３１と、押下操作具３２とからなる。ダンパ本体３１は、軸筒３３内にピボット軸５５を、軸回転可能に嵌挿する一方、先端軸部５５ａが上端面に開けた軸突出口３４から一定長さ突出した位置で抜け止めして上下動不能に挿設している。ピボット軸５５は、先端軸部５５ａを、支持具２０の軸受穴２５の穴形状に対応させて、外周にそれぞれ対称な一対の円弧面と平面ｔを設けた回り止め形状に成形してなる。ダンパ本体３３は、開き扉Ｄの閉時、ピボット軸５５が閉方向へ軸回転すると、軸筒３３内のオイル室で流動する制動用オイルの粘性抵抗により制動力を発生して開き扉Ｄの回動を減速するオイルダンパ構造になっている。
【００２６】
押下操作具３２は、ダンパ本体３１の頭部３１ａに冠着可能な筒状のキャップ部３２ａと、キャップ部３２ａと上端面３６を面一にしてキャップ部３２ａから径方向外向きに略矩形ブロック状に延びる押下釦部３２ｂとからなる。キャップ部３２ａは、図中下側の一端面を開放する一方、他端面の中央には、ダンパ本体３１側の軸突出口３４に合わせて、ピボット軸５５の先端軸部５５ａが貫挿可能な軸挿通口３７を設けてなる。押下釦部３２ｂは、厚さ方向に貫通する横軸穴３８と、横軸穴３８と直交する高さ方向に貫通するねじ穴３９を穿設している。更に、押下釦部３２ｂは、図２に示すように、下端面４１を階段状に成形し、その中央に段付きのばね受け凹部４２を高さ方向に凹設している。ねじ穴３９は、入口側の馬鹿穴部３９ａと奥側の雌ねじ穴部３９ｂを連設してなる。そこで、ダンパ３５は、ダンパ本体３１の頭部３１ａにキャップ部３２ａを被せてビス止めし、軸挿通口３７からピボット軸５５の先端軸部５５ａを突出させた状態で、ダンパ本体３１の頭部３１ａに押下操作具３２を一体に取り付けて、図４に示すように組み立ててなる。
【００２７】
ダンパケース４０は、図３に示すように、胴筒部４０ａと、胴筒部４０ａの上端から横に端面を面一にして鍔状に延びる固定板部４０ｂとからなる。胴筒部４０ａには、ダンパ３５の外形状に合わせてガイド穴４４を穿設している。ガイド穴４４は、ダンパ本体３１を嵌め込む円筒穴部４６と、押下操作具３２の押下釦部３２ｂを嵌め込む角筒凹部４７からなる。円筒穴部４６は、図２中上下の深さ方向に貫通し、角筒穴部４７は、その底形状を、押下操作具３２の押下釦部３２ｂに対応させて階段状に成形し、その中央にばね掛け凸部４７ａを凸設し、ばね掛け凸部４７ａに隣接してねじ穴３９に対応する段部４７ｂにピン受穴４８を凹設している。ピン受け穴４８は、ねじ穴３９と共に、ピボット軸５５の外れ止め手段６０の一部を担う穴である。また、胴筒部４０ａには、ダンパ３５を嵌め込んだとき、横軸穴３８と連通する位置で、図３に示すように、ガイド穴４４と直交する厚さ方向に貫通する規制穴５１を設けている。規制穴５１は、ダンパ３５の可動範囲を規制するストッパ手段５０の一部を担う長穴で、そのため、ダンパ３５の頭部３１ａがガイド穴４４の上部開口４４ａから突出する高さ位置と、引っ込む高さ位置との間をダンパ３０が上下する可動距離に合わせた一定長さガイド穴４４の深さ方向にあけて縦長に形成してなる。
【００２８】
ストッパ手段５０は、このダンパケース４０の規制穴５１と、ダンパ３５の押下操作具３２にあけた横軸穴３８と、それら規制穴５１と横軸穴３８に貫挿するストッパピン６５とで構成する。
【００２９】
外れ止め手段６０は、図２に示すように、ダンパ３５の押下操作具３２にあけたねじ穴３９と、ダンパケース４０内に凹設したピン受け穴４８と、ねじ穴３９にねじ込んで先端をピン受け穴４８に差し込むねじ軸７０とで構成する。
【００３０】
そこで、枢着具３０は、図２、図３および図４に示すように、ダンパケース４０のばね掛け凸部４７ａに付勢ばね４５のコイル下部側を嵌装してから、ガイド穴４４の円筒穴部４６にダンパ本体３１を貫挿し、角筒凹部４７には押下操作具３２の押下釦部３２ｂを嵌入して段付ばね受け凹部４２に、付勢ばね４５を奥側に挟んでばね掛け凸部４７ａを係合した状態で、ダンパ３５を、ガイド穴４４に深さ方向Ｘ上下に可動に嵌め込んでダンパケース４０に把持する。次いで、ダンパケース４０の規制穴５１に対してダンパ３５の横軸穴３８を連通状態にしてから、ストッパピン６５を規制穴５１に通して横軸穴３８に圧入してダンパ３５の押下操作具３２で固持させる。すると、枢着具３０は、ストッパピン６５が付勢ばね４５の付勢力により、図５（Ａ）に示すように規制穴５１の上側穴縁に当たり、ダンパ３５を、押下操作具３２の上部でもある頭部３１ａがガイド穴４４の上部開口４４ａから突出した高さ位置に止めて、ダンパケース４０で把持する。即ち、枢着具３０は、図５（Ｂ）に示すように、頭部３１ａがガイド穴４４の上部開口４４ａから引っ込む高さ位置にピボット軸５５をダンパ３５ごと押し下げ自在にダンパケース４０で保持して組み立てる。
【００３１】
上吊り金具Ｈ２において、上述した構造の枢着具３０は、その外形に合わせて、図２に示すように、開き扉Ｄの上端部角寄りにあけた取付凹部７５に嵌め込み、ダンパケース４０の固定板部４０ｂを上端面にねじ止めして開き扉Ｄに組み込む。
【００３２】
さて、図示軸釣装置Ａで開き扉Ｄを扉枠Ｆに吊り込む場合は、図６および図７に示すように、開き扉Ｄを持ち上げて、下吊り金具Ｈ１の支持具１１の軸受穴１３に、枢着具１２のピボット軸１５の先端軸部１５ａを嵌合し、下吊り金具Ｈ１で開き扉Ｄを回動可能に扉枠Ｆの下側に軸釣する。それから、上吊り金具Ｈ２の支持具２０の軸受穴２５に枢着具３０のピボット軸５５の先端軸部５５ａを嵌合し、上吊り金具Ｈ２で開き扉Ｄを回動可能に扉枠Ｆの上側に軸釣する。
【００３３】
そのように上吊り金具Ｈ２で開き扉Ｄを扉枠Ｆの上側に軸釣するとき、本発明の軸釣装置Ａでは、ダンパ３５は、いま頭部３１ａの押下操作具３２がダンパケース４０のガイド穴４４から突出した高さ位置にあるので、例えば押下操作具３２の押下釦部３２ｂに指を掛けて、ダンパ３５ごとピボット軸５５の先端軸部５５ａを付勢ばね４５に抗して押し下げ、邪魔にならないように、いったんガイド穴４４内に引っ込めてから、ピボット軸５５の先端軸部５５ａが支持具２０の軸受穴２５の真下に至ったとき、押下釦部３２ｂから掛けた指を外すと、付勢ばね４５の付勢力でダンパ３５ごとピボット軸５５が自動的に突出し、パチンという嵌着成功のクリック音を立てながら、支持具２０の軸受穴２５に嵌合して開き扉Ｄを扉枠Ｆの上側に軸釣する。こうして上下の吊り金具Ｈ１・Ｈ２により開き扉Ｄを、図８および図９に示すように、ピボット軸１５・５５を中心として回動可能に扉枠Ｆに吊り込む。
【００３４】
従って、図示軸釣装置Ａでは、上吊り金具Ｈ２で開き扉Ｄを扉枠Ｆの上側に軸釣するとき、ピボット軸５５がダンパ３５ごとダンパケース４０のガイド穴４４の深さ方向Ｘ上下に押し下げ自在の状態で、ダンパ３５は、頭部３１ａの押下操作具３２の上側がガイド穴４４から突出した高さ位置にあるので、押下操作具３２の押下釦部３２ｂに指を掛け、ピボット軸５５をダンパ３５ごと押し下げて先端軸部５５ａをガイド穴４４内に、いったん引っ込めてから、掛けた指を外せば、付勢ばね４５の付勢力でダンパ３５ごとピボット軸５５が自動的に突出して先端軸部５５ａが支持具２０の軸受穴２５に嵌合する構成であるため、図示のように開き扉Ｄの建て付け箇所が開き扉Ｄと上枠部１０ｃとの間に殆んど隙間のない場合であっても、何ら障害となるものがなく、ピボット軸５５の先端軸部５５ａを支持具２０の軸受穴２５に簡単に嵌合して開き扉Ｄを扉枠Ｆの上側に軸釣することができる。
【００３５】
次に、図示軸釣装置Ａでは、ピボット軸５５はダンパ３５ごとダンパケース４０のガイド穴４４の深さ方向Ｘ上向きに常にばね付勢し、それ故に、先端軸部５５ａが支持具２０の軸受穴２５に嵌合して開き扉Ｄを軸釣した後も、そのまま付勢ばね４５で上向きに付勢してダンパ３５を頭部３１ａがガイド穴４４から突出した高さ位置に押し付けて保持するため、たとえ扉枠Ｆに対して開き扉を吊り込む高さに誤差があったり、開き扉が衝撃で振動したりすることがあっても、ピボット軸５５が支持具２０の軸受穴２５からズレ動いて嵌め合いが外れるようなことがなく、ピボット軸５５を支持具２０の軸受穴２５に確実に枢着することができる。しかも、上吊り金具Ｈ２では、ダンパ３５は、押下操作具３２の押下釦部３２ｂに指を掛けて押し込むだけでも、全体がピボット軸５５と一体に押し下げられ、それだけダンパ３５の押し下げ作業を簡単に且つ確実に行うことができる。
【００３６】
さらに、図示軸釣装置Ａでは、ピボット軸５５は、支持具２０の軸受穴２５に、従来のように調整カムやジョイントを介さず直接に嵌め込んで枢着する構成であるため、その分の組立部品点数が削減され、軸釣構造も簡略化されると共に、吊り込み作業の手間も軽減することができる。
【００３７】
加えて、図示軸釣装置Ａでは、開き扉Ｄの吊り込み時、ピボット軸５５の先端軸部５５ａを付勢ばね４５で突出させて支持具２０の軸受穴２５に嵌合した後に、図２および図３に示す外れ止め手段６０を用いてダンパ３５をダンパケース４０に固定し、ピボット軸５５の先端軸部５５ａと支持具２０の軸受穴２５との嵌め合いをロックし、これにより、付勢ばね４５のばね付勢力を抑え込んで、ピボット軸５５の先端軸部５５ａが支持具２０の軸受穴２５から外れるのをより確実に防止することもできる。
【００３８】
そのように外れ止め手段６０でピボット軸５５の先端軸部５５ａと支持具２０の軸受穴２５との嵌め合いをロックするときは、まず、開き扉Ｄを扉枠Ｆの上枠部１０ｃと重なった位置から見込み方向にずらし、それから、押下操作具３２にあけたねじ穴３９に外れ止め手段６０のねじ軸７０を上から挿入し、その雄ねじを雌ねじ穴部３９ｂに螺合してねじ込み、先細な先端部をダンパケース４０のピン受け穴４８に押し込んでダンパケース４０にダンパ３５を固定してピボット軸５５の先端軸部５５ａと支持具２０の軸受穴２５との嵌め合いをロックし、これにより、付勢ばね４５のばね付勢力を抑え込み、ばね付勢力によってピボット軸５５が上下にペコペコ弾んで先端軸部５５ａが支持具２０の軸受穴２５から外れるのを防止する。
【００３９】
なお、上述した図示例では、ダンパ３５は、ダンパ本体３１に対して別体の押下操作具３２を一体的に取り付けて形成したが、押下操作具を押下操作部として、ダンパ本体と一体に成形することにより一体化することもできる。
【符号の説明】
【００４０】
Ａ                軸釣装置
Ｄ                開き扉
Ｆ                扉枠
Ｈ１              下吊り金具
Ｈ２              吊り金具
Ｘ                深さ方向
１５・５５        ピボット軸
１５ａ・５５ａ    ピボット軸の先端軸部
１１・２０        支持具
１２・３０        枢着具
１３・２５        支持具の軸受穴
３１              ダンパ本体
３２              押下操作具
３２ｂ            押下釦部
３５              ダンパ
４０              ダンパケース
４４              ガイド穴
４５              付勢ばね
５０              ストッパ手段
５１              規制穴
６０              外れ止め手段
６５              ストッパピン
７０              ねじ軸
【図１】
2011214245.tif 000003
【図２】
2011214245.tif 000004
【図３】
2011214245.tif 000005
【図４】
2011214245.tif 000006
【図５】
2011214245.tif 000007
【図６】
2011214245.tif 000008
【図７】
2011214245.tif 000009
【図８】
2011214245.tif 000010
【図９】
2011214245.tif 000011
【図１０】
2011214245.tif 000012
【図１１】
2011214245.tif 000013